(57)【要約】【課題】精度の高い計量を行うことができる秤を提供する。【解決手段】体重計１が備える重点エッジ８は、円錐状に縮径した先端部を有する支持突起８１を備えている。各槓桿４，５は、重点エッジ８を受ける重点溝４２，５２を備えている。重点溝４２，５２は、その底面が下方に向けて湾曲した湾曲部４２ａ，５２ａを備えている。湾曲部４２ａ，５２ａには、円錐状に窪んだ支持窪み部４２ｂ，５２ｂが設けられている。重点溝４２，５２は、支持突起８１を支持窪み部４２ｂ，５２ｂで支承することにより、重点エッジ８を支持する。各槓桿４，５には、カバー２に加えられた荷重が、重点エッジ８を介して重点溝４２，５２に伝達される。【選択図】  図６
2009270911.tif 000002
【特許請求の範囲】
【請求項１】
槓桿の長機及び／又は短機で重点刃を支持する、槓桿式秤における重点部構造であって、
前記槓桿及び前記重点刃の何れか一方に設けられた窪みで、他方に設けられた突起が支承されていることにより、前記重点刃を前記槓桿で支持したことを特徴とする槓桿式秤における重点部構造。
【請求項２】
前記窪みは円錐状に窪んでおり、前記突起は円錐状に縮径した先端を備えていることを特徴とする請求項１に記載の槓桿式秤における重点部構造。
【請求項３】
前記重点刃は、カバーエッジを支持する一対の支持部を結ぶ辺部に、前記突起又は前記窪みを備えており、
前記辺部の延設方向に沿った縁部を折り曲げて構成された折曲片を備えていることを特徴とする請求項１又は請求項２に記載の槓桿式秤における重点部構造。
【請求項４】
前記重点刃は、上辺部の左右の両端部及び中央部からそれぞれ下方に向けて延びる辺部を設けた形状の平板体を、前記中央部から延びる辺部が前方に位置して前記上辺部が後方に位置するように、前記左右の両端部から延びる辺部を後方に向けて屈曲させた形状を有しており、前記左右の両端部から延びる辺部が前記支持部を備え、前記中央部から延びる辺部が前記突起又は前記窪みを備えていることを特徴とする請求項３に記載の槓桿式秤における重点部構造。
【請求項５】
請求項１から請求項４の何れかに記載の重点部構造を備えたことを特徴とする槓桿式秤。
【発明の詳細な説明】
【技術分野】
【０００１】
本発明は、槓桿式秤における槓桿の長機及び／又は短機で重点刃を支持する重点部の構造、及び該構造を備える槓桿式秤に関する。
【背景技術】
【０００２】
従来、カバーをベースに取り付けて構成される槓桿式秤としては、下記の特許文献１に記載の体重計が開示されている。この体重計は、ベースの内面の４隅にある支点エッジで、それぞれベースの中央部側に向けて延びた各槓桿の一端を支持している。ベースの前側隅部の支点エッジで支持された各長機槓桿は、ベースの後端部まで延びて先端部を受け台で支持されている。ベースの後側隅部の支点エッジで支持された各短機槓桿の他端は、前側隅部の支点エッジで支持された各長機槓桿の中央部で支持されている。受け台はロードセルの可動部に取り付けられている。
【０００３】
カバーの内面の４隅の中央部寄りに設けられたカバーエッジには、それぞれ重点エッジが取り付けられている。各重点エッジは、それぞれ各槓桿に支持されている。ベースとカバーとの間には引っ張りバネが介装されており、この引っ張りバネによりカバーはベース側に付勢されている。
【０００４】
上方からカバーに荷重が加えられると、この荷重は重点エッジを介して各槓桿に伝達される。後側隅部の支点エッジで支持された各短機槓桿は、前側隅部の支点エッジで支持された長機槓桿を下方に付勢する。前側隅部の支点エッジで支持された長機槓桿は、カバーから直接加えられる荷重と、後側隅部の支点エッジで支持された各短機槓桿から加えられる荷重とを、受け台を介してロードセルに伝達する。これによりカバーに加えられた荷重がロードセルで検知され、体重が計量される。
【０００５】
【特許文献１】特開平８−８６６８６号公報
【発明の開示】
【発明が解決しようとする課題】
【０００６】
この種の体重計では、カバーの上に足を載置する際等に加えられる荷重がカバーの側方に向けて働くことや、上述した各部品の仕上がり状態により、各槓桿での重点エッジの支持位置が、所定の位置からずれることがある。この位置ずれが生じると、各槓桿によりロードセルに伝達される荷重値も本来伝達されるべき値と異なる値となり、計量値に大きな誤差が生じることがあった。
【０００７】
本発明は、上記課題を解決することのできる槓桿式秤における重支部構造及び槓桿式秤を提供することを目的とする。
【課題を解決するための手段】
【０００８】
この欄の記載は特許請求の範囲の記載に応じて変更されます。
このような課題を解決するために、本発明の槓桿式秤における重点部構造は、槓桿の長機及び／又は短機で重点刃を支持する、槓桿式秤における重点部構造であって、前記槓桿及び前記重点刃の何れか一方に設けられた窪みで、他方に設けられた突起が支承されていることにより、前記重点刃を前記槓桿で支持したことを特徴とする。
また、本発明は、前記窪みが円錐状に窪んでおり、前記突起が円錐状に縮径した先端を備えていることを特徴とする。
また、本発明は、前記重点刃が、カバーエッジを支持する一対の支持部を結ぶ辺部に、前記突起又は前記窪みを備えており、前記辺部の延設方向に沿った縁部を折り曲げて構成された折曲片を備えていることを特徴とする。
また、本発明は、上辺部の左右の両端部及び中央部からそれぞれ下方に向けて延びる辺部を設けた形状の平板体を、前記中央部から延びる辺部が前方に位置して前記上辺部が後方に位置するように、前記左右の両端部から延びる辺部を後方に向けて屈曲させた形状を有しており、前記左右の両端部から延びる辺部が前記支持部を備え、前記中央部から延びる辺部が前記突起又は前記窪みを備えていることを特徴とする。
また、本発明の槓桿式秤は、上記重点部構造を備えたことを特徴とする。
【発明の効果】
【０００９】
本発明によれば、精度の高い計量を行うことができる。
【発明を実施するための最良の形態】
【００１０】
本発明の最良の形態を図面を参照して説明する。
図１は、本実施形態の体重計１を上方から見た斜視図である。また、図２は、体重計１のカバー２を内面側から見た斜視図である。また、図３は、体重計１のベース３を内面側から見た斜視図である。
【００１１】
図１に示すように、体重計１は、荷重の加えられるカバー２を、ベース３に取り付けて構成されている。カバー２の外面は平坦に構成されており、前端部の左右方向の中央部には、カバー２に加えられた荷重を計量値として表示する表示部２ａが設けられている。表示部２ａは、カバー２の内面側からカバー２の外面側を臨んで配置されている。カバー２の外面の左右方向の両側部は、それぞれ被験者が左右の足を載置する載置部２ｂとなっている。
【００１２】
図２に示すように、カバー２は、略四角形状の板状体から構成される荷重受部２１と、この荷重受部２１の縁部から内面側に延びる側壁部２２とを備えて構成されている。荷重受部２１の内面の左右の一対の側壁部２２の近傍には、図示しないサイドスプリングが備えるフック部の掛けられる係止片２８が形成されている。また、荷重受部２１の内面の四隅には連結部２３が固定されている。各連結部２３は、互いに向かい合う一対のカバーエッジ２４を備えている。連結部２３とカバーエッジ２４とは、一体に形成されている。両カバーエッジ２４の対向する位置には、連結溝２４ａが形成されている。連結溝２４ａは、カバーエッジ２４の両主面間を貫通し、カバーエッジ２４の上縁から下縁側に向けて垂直に延びている。カバーエッジ２４には、後で詳述する重点エッジ８が取り付けられている。
【００１３】
荷重受部２１の後端側の左右の隅部に位置する連結部２３は、重点エッジ８の一主面を荷重受部２１の前端側の左右の幅方向の中央部に向けて荷重受部２１に固定されている。また、荷重受部２１の前端側の左右の隅部に位置する連結部２３は、重点エッジ８の一主面を荷重受部２１の後端側に向けて荷重受部２１に固定されている。
【００１４】
図３に示すように、ベース３は、略四角形状の板状体から構成される底板部３１と、この底板部３１の縁部から内面側に延びる側壁部３２とを備えて構成されている。底板部３１の内面の左右の一対の側壁部３２の近傍には、図示しないサイドスプリングが備える係止部の係止されるバネ固定孔３５が形成されている。サイドスプリングは、バネ固定孔３５と荷重受部２１の係止片２８との間に掛け渡されてカバー２とベース３との間に介装され、バネ固定孔３５の周縁部に向けて係止片２８を付勢している。
【００１５】
また、底板部３１の内面の四隅には、ベースエッジ３３が固定されている。各ベースエッジ３３は、その上縁から下縁側に向けて延びる支点溝３４ａが形成された支点エッジ３４を備えている。底板部３１の後端側の左右の隅部に位置するベースエッジ３３は、支点エッジ３４の一主面を底板部３１の前端側の左右の幅方向の中央部に向けて底板部３１に固定されている。また、底板部３１の前端側の左右の隅部に位置するベースエッジ３３は、支点エッジ３４の一主面を底板部３１の後端側に向けて底板部３１に固定されている。
【００１６】
底板部３１の後端側のベースエッジ３３が備える各支点エッジ３４は、それぞれ短機槓桿４の基端部４ｂを支持している。各短機槓桿４は、後述する吊り輪６に先端部４ａを挿通されている。また、底板部３１の前端側のベースエッジ３３が備える各支点エッジ３４は、それぞれ長機槓桿５の基端部５ｂを支持している。各長機槓桿５は、後述する吊り輪６に先端部５ａ寄りの中央部５ｃを挿通され、先端部５ａを連結片７１に固定されている。
【００１７】
吊り輪６は、略四角形の環状を呈した平板から構成されており、後述する短機槓桿４の作用点溝４３及び長機槓桿５の荷重伝達溝５３を対向する一対の辺部の内側縁部で受けている。図３に示すように、短機槓桿４の先端部４ａは、吊り輪６を介して長機槓桿５の下方に吊り下げられた状態となっている。これにより、長機槓桿５には、短機槓桿４の受けた荷重が、吊り輪６を介して伝達される。
【００１８】
図３に示すように、連結片７１には伝達槓桿７２が取り付けられている。連結片７１から突出した伝達槓桿７２の先端部は、略四角形の環状を呈した終端エッジ７３に挿通されている。終端エッジ７３には取付片７４が取り付けられており、伝達槓桿７２は終端エッジ７３を介して取付片７４に吊り下げられた状態となっている。取付片７４は、ロードセル７５の可動部に固定されている。ロードセル７５の固定部は、固定片７６を介してベース３に固定されている。
【００１９】
図４及び図５は、上述した重点エッジ８の構成の概略を示す図であり、図４（ａ）は上方からの斜視図，図４（ｂ）は下方からの斜視図，図５（ｃ）は平面図，図５（ｄ）は正面図，図５（ｅ）は右側面図である。図４に示すように、重点エッジ８は、左右方向に向けて直線状に延びる上辺部８ａの左右の両端部及び中央部に、それぞれ下方に向けて直線状に延びる左辺部８ｂ，右辺部８ｃ，及び中辺部８ｄを設けた形状の平板体を、中辺部８ｄの先端が前方に位置して上辺部８ａが後方に位置するように、左辺部８ｂ及び右辺部８ｃの上端部を後方に向けて略直角に屈曲させた形状を有している。
【００２０】
図５（ｃ），（ｅ）に示すように、上辺部８ａは、左辺部８ｂ及び右辺部８ｃの上端部の折曲部分の後方に位置して、両主面を上下方向に向けている。上辺部８ａの後縁部は、上方に向けて略直角に折り曲げられて折曲片８ａ１を構成している。図５（ｃ），（ｄ）に示すように、左辺部８ｂ及び右辺部８ｃは、中辺部８ｄを挟んで互いが左右対称となる形状を有して、上辺部８ａから延びている。
【００２１】
左辺部８ｂの先端には、左辺部８ｂの左方に延びる左突辺部８ｂ１が設けられている。また、右辺部８ｃの先端には、右辺部８ｃの右方に延びる右突辺部８ｃ１が設けられている。左突辺部８ｂ１及び右突辺部８ｃ１の先端には、それぞれ上方に向けて拡幅した拡幅部８ｂ２，８ｃ２が設けられている。左突辺部８ｂ１及び右突辺部８ｃ１の拡幅部８ｂ２，８ｃ２よりも基端側は、カバー２のカバーエッジ２４に支持される支持部８２を構成している。
【００２２】
図５（ｃ），（ｅ）に示すように、中辺部８ｄは、上辺部８ａの左右方向の中央部の前縁から、折り曲げられた左辺部８ｂ及び右辺部８ｃの上端部と共に前方に向けて延びており、上辺部８ａと一体となって左右の辺部８ｂ，８ｃを結ぶ辺部を構成している。上辺部８ａが備える折曲片８ａ１は、この辺部の延設方向である左右方向に沿った後縁部を折り曲げて構成された折曲片となっている。この折曲片により、上辺部８ａの延設方向に対して垂直方向に向けて加えられる荷重に対する重点エッジ８の強度が高められている。図５（ｄ），（ｅ）に示すように、中辺部８ｄの下面には、円錐状に縮径した先端部を有する支持突起８１が設けられている。支持突起８１は、円形の断面を有して中辺部８ｄの厚さよりもやや長い長さを有する棒状体９を、中辺部８ｄに形成された嵌入孔８ｄ１（図５（ｃ）参照）に嵌入させて構成されている。
【００２３】
図５（ｄ）に示すように、支持突起８１を構成する棒状体９は、先端部９ａが後端側から先端側にかけて徐々に縮経して円錐状を呈している。また、中央部９ｂが嵌入孔８ｄ１よりも大きな経を有しており、後端部が嵌入孔８ｄ１とほぼ等しい径に縮径した縮径部９ｃとなっている。棒状体９は、先端部９ａを下に向けて縮径部９ｃを中辺部８ｄの嵌入孔８ｄ１に下側から圧入し、嵌入孔８ｄ１の上方に突出した縮径部９ｃの後端部を拡開させて拡開部分を嵌入孔８ｄ１の上側の周縁に係止させることにより、中辺部８ｄに取り付けられている。中辺部８ｄの下面から下方に向けて突出した棒状体９の先端部９ａ及び中央部９ｂにより、支持突起８１は構成されている。支持突起８１は、図５（ｃ）に示すように、左辺部８ｂと右辺部８ｃとを結ぶ線上で、両辺部８ｂ，８ｃの中間に位置している。
【００２４】
図２に示すように、各重点エッジ８は、支持突起８１を下方に向けてカバー２の連結部２３が備える一対のカバーエッジ２４間に掛け渡され、各カバーエッジ２４が備える連結溝２４ａにそれぞれ支持部８２を支持されて、図２中の矢印Ａ方向に揺動自在にカバーエッジ２４に取り付けられている。
【００２５】
図６は、短機槓桿４の構成の概略を示す側面図である。また、図７は、各短機槓桿４が備える重点溝４２の周辺を拡大して示す図であり、（ａ）は後方からの斜視図，（ｂ）は平面図，（ｃ）は（ｂ）のＡ−Ａ線断面図である。図６に示すように、短機槓桿４の基端部４ｂの下端面には、支点エッジ３４を受ける支点溝４１が形成されている。また、基端部４ｂ寄りの中央部４ｃの上端面には、重点エッジ８を受ける重点溝４２が形成されている。また、先端部４ａの下端面には、吊り輪６を受ける作用点溝４３が形成されている。短機槓桿４には、カバー２に加えられた荷重が、重点エッジ８を介して重点溝４２に伝達される。
【００２６】
図６及び図７に示すように、重点溝４２は、短機槓桿４の上縁部を矩形に切り欠いた側面形状を有している。図６に示すように、重点溝４２は、重点エッジ８の上辺部８ａの後端部から中辺部８ｄの前端部までの重点エッジ８の前後方向の長さよりもやや広い幅を有して、短機槓桿４の両側面間を貫通している。図６に示すように、重点溝４２は、上辺部８ａを短機槓桿４の先端側に向けると共に中辺部８ｄを短機槓桿４の基端側に向けた重点エッジ８を支持する。
【００２７】
図７に拡大して示すように、重点溝４２の前後方向の中央部のやや後方寄りには、重点溝４２の底面が下方に向けて湾曲した湾曲部４２ａが設けられている。図７に示すように、湾曲部４２ａには、円錐状に窪んだ支持窪み部４２ｂが設けられている。支持窪み部４２ｂは、支持突起８１を支承することにより、重点エッジ８を支持するための窪みである。支持窪み部４２ｂは、重点エッジ８が備える支持突起８１の先端部の傾斜面よりもやや緩やかな傾斜面を有しており、支承した支持突起８１が支持窪み部４２ｂ上を移動できるように構成されている。
【００２８】
図８は、長機槓桿５の構成の概略を示す側面図である。図８に示すように、長機槓桿５の基端部５ｂの下端面には、支点エッジ３４を受ける支点溝５１が形成されている。また、基端部５ｂ寄りの中央部５ｃの上端面には、重点エッジ８を受ける重点溝５２が形成されている。また、先端部５ａ寄りの中央部５ｃの上端面には、吊り輪６を受ける荷重伝達溝５３が形成されている。長機槓桿５には、カバー２に加えられた荷重が、重点エッジ８を介して重点溝５２に伝達される。
【００２９】
重点溝５２は、湾曲部５２ａの形成位置を除いて、短機槓桿４の備える重点溝４２と同様の構成を有しており、湾曲部５２ａの備える支持窪み部５２ｂも、重点溝４２の湾曲部４２ａが備える支持窪み部４２ｂと同様の形状を有している。重点溝５２は、上辺部８ａを長機槓桿５の基端側に向けると共に中辺部８ｄを長機槓桿５の先端側に向けた重点エッジ８を、支持突起８１を支持窪み部５２ｂで支承することにより支持する。このため、重点溝５２の湾曲部５２ａは、長機槓桿５の前後方向の中央部のやや前方寄りに設けられている。
【００３０】
次に、本実施形態の体重計１での計量時の動作について説明する。ベース３が床面上に載置された状態において、図３に示すように、体重計１が備える各短機槓桿４は、支点エッジ３４により支点溝４１で基端部４ｂを支持されると共に、吊り輪６により作用点溝４３で先端部４ａを支持されている。また、各長機槓桿５は、支点エッジ３４により支点溝５１で基端部５ｂを支持されると共に、吊り輪６により荷重伝達溝５３で先端部５ａ寄りの中央部５ｃを支持され、先端部５ａを連結片７１で支持されている。このような状態で、各槓桿４，５は、重点エッジ８を介して重点溝４２，５２でカバー２を支持している。また、図示しないが、カバー２の荷重受部２１とベース３の底板部３１との間に介装されたサイドスプリングの付勢力により、ベース３の底板部３１のバネ固定孔３５の周縁部に向けて、カバー２の荷重受部２１の係止片２８が付勢されている。
【００３１】
カバー２の重量やサイドスプリングの付勢力により、各槓桿４，５には、重点エッジ８を介して所定の大きさの荷重が加えられている。短機槓桿４で受けられたこの荷重は、吊り輪６を介して長機槓桿５に伝達される。長機槓桿５は、重点エッジ８から直接受けた荷重と、吊り輪６を介して短機槓桿４から伝達された荷重とを、先端部５ａの固定された連結片７１に伝達する。
【００３２】
このようにして連結片７１に伝達された荷重は、伝達槓桿７２から終端エッジ７３及び取付片７４を介してロードセル７５に伝達され、ロードセル７５が撓む。撓んだロードセル７５に生じた弾発力で、各槓桿４，５には重点エッジ８から加えられる荷重に抗してカバー２を上方に押し付ける力が働く。これにより、ベース３に対するカバー２の取付位置が所定の位置に保たれている。
【００３３】
この状態で、被験者がカバー２の載置部２ｂに両足を載置する等して、カバー２に荷重が加えられると、カバー２のカバーエッジ２４から重点エッジ８を介して各槓桿４，５に荷重が伝達される。このようにして加えられた荷重は、支点エッジ３４との接触点を支点として各槓桿４，５をベース３の底板部３１側に回動させるように働き、ロードセル７５の撓み量が大きくなる。この撓み量の変化を検知することにより、荷重の計量が行われる。
【００３４】
被験者がカバー２の載置部２ｂに両足を載置する際等に、カバー２に対して水平方向への荷重が働き、また、各槓桿４，５や各エッジ８，２４，３４等の部品の仕上がり状態の影響を受けることにより、各槓桿４，５による重点エッジ８の支持位置を所定の位置からずらそうとする力が働くことがある。これにより、各槓桿４，５による重点エッジ８の支持位置が所定の位置からずれて、この位置が所定の位置にある場合とで、ロードセル７５の可動部に加えられる荷重に違いが生じ、計量値に大きな誤差が生じる虞がある。
【００３５】
しかしながら、本実施形態の体重計１は、中辺部８ｄに設けられた支持突起８１を、各槓桿４，５の重点溝４２，５２が備える支持窪み部４２ｂ，５２ｂで支承することにより、重点エッジ８を各槓桿４，５で支持していることから、水平方向の何れの方向に向けた荷重が重点エッジ８に加えられても、支持窪み部４２ｂ，５２ｂの傾斜面により支持突起８１の水平方向への移動を妨げることができる。つまり、支持窪み部４２ｂ，５２ｂの中心部に位置する最奥部から支持窪み部４２ｂ，５２ｂの周縁に向けて、支持窪み部４２ｂ，５２ｂの傾斜面上を上方に向けて移動し、支持窪み部４２ｂ，５２ｂの外側に支持突起８１が移動するのには、平坦面上を移動するのに比べて、大きな力が重点エッジ８に加わる必要がある。しかも、支持窪み部４２ｂ，５２ｂの傾斜面を上りきらなかった支持突起８１は、カバーエッジ２４から加えられる荷重及び重点エッジ８の自重により、支持窪み部４２ｂ，５２ｂの傾斜面を下降して最奥部に再び戻る。このため、カバー２に対して水平方向の何れの方向に荷重が加えられても、各槓桿４，５による重点エッジ８の支持位置が、支持窪み部４２ｂ，５２ｂの最奥部に支持突起８１が位置する所定の位置に保たれ易くなる。この結果、カバー２の側方に向けて荷重が働くことや、体重計１を構成する各部品の仕上がり状態によって、各槓桿４，５での重点エッジ８の支持位置がずれることに伴い生じる計量値の誤差を抑え、計量の精度を高めることができる。
【００３６】
また、支持窪み部４２ｂ，５２ｂが、支持突起８１の傾斜面よりもやや緩やかな傾斜面を有して、支持突起８１が支持窪み部４２ｂ，５２ｂ上を移動できるように構成されていることから、支持窪み部４２ｂ，５２ｂの傾斜面上での支持突起８１の移動を円滑に行わせることができる。このため、支持窪み部４２ｂ，５２ｂと支持突起８１との間の移動に伴い両者に生じる摩耗や重点エッジ８や各槓桿４，５の損傷を抑え、これらの摩耗や損傷が生じることに伴い、各槓桿４，５の重点溝４２，５２への重点エッジ８の取付姿勢等が変化するのを防止できる。従って、計量の精度をより高めることができる。
【００３７】
さらに、円錐状に窪んだ支持窪み部４２ｂ，５２ｂに、円錐状に縮径した支持突起８１の先端部が支承されていることから、支持窪み部４２ｂ，５２ｂの傾斜面上での支持突起８１の移動をより円滑に行わせることができる。このため、支持窪み部４２ｂ，５２ｂと支持突起８１との間の移動に伴い、両者に生じる摩耗や重点エッジ８や各槓桿４，５の損傷を効果的に抑え、これらの摩耗や損傷が生じることに伴い、各槓桿４，５の重点溝４２，５２への重点エッジ８の取付姿勢等が変化するのを、効果的に防止できる。従って、計量の精度をより高めることができる。
【００３８】
上記実施形態の説明では、短機槓桿４と長機槓桿５とで重点エッジ８を支持する向きが違っていたが、重点エッジ８を支持する向きは任意であり、例えば、各槓桿４，５で重点エッジ８を支持する向きが同じでもよい。また、重点エッジ８を支持する向きも任意であり、上辺部８ａが各槓桿４，５の先端側や後端側を向いている必要は必ずしもない。また、連結部２３の各カバーエッジ２４間に掛け渡されて、連結溝２４ａに各支持部８２を支持された状態で、支持突起８１により各槓桿４，５に支持されるのであれば、重点エッジ８の形状も任意である。
【００３９】
また、上記実施形態の説明では、中辺部８ｄに形成された嵌入孔８ｄ１に棒状体９を嵌入させることにより、支持突起８１が構成されていた。しかしながら、支持突起８１の構成は、各槓桿４，５が備える支持窪み部４２ｂ，５２ｂに支承されることにより、重点エッジ８を各槓桿４，５に支持することが出きるのであれば、任意であり、中辺部８ｄと一体に形成されていてもよい。また、支持突起８１が重点エッジ８と別体に形成されているときには、その取付方法も任意である。
【００４０】
また、上記実施形態の説明では、重点エッジ８が備える支持突起８１を、各槓桿４，５が備える支持窪み部４２ｂ，５２ｂで支承した場合について説明した。しかしながら、各槓桿４，５及び重点エッジ８の何れか一方に設けられた窪みで、他方に設けられた突起が支承されていることにより、重点エッジ８が各槓桿４，５で支持されているのであれば、その構成は任意である。例えば、各槓桿４，５が備える支持突起を重点エッジ８が備える支持窪み部で支承してもよく、また、短機槓桿４及び長機槓桿５の何れかが支持突起を備えると共に、残りが支持窪み部を備え、何れの各槓桿４，５で支持されるかに応じて重点エッジ８が支持突起又は支持窪み部を備える構成としてもよい。
【００４１】
また、上記実施形態の説明では、重点溝４２，５２が、各槓桿４，５の上縁部を矩形に切り欠いた側面形状を有しており、また、重点溝４２，５２が湾曲部４２ａ，５２ａに支持窪み部４２ｂ，５２ｂを備えていた場合について説明した。しかしながら、重点エッジ８が備える支持突起８１を支持窪み部４２ｂ，５２ｂで支承することにより、各槓桿４，５で重点エッジ８を支持できるのであれば、重点溝４２，５２の構成は任意であり、湾曲部４２ａ，５２ａは必ずしも備える必要はない。
【００４２】
また、重点エッジ８が備える支持突起８１を各槓桿４，５が備える支持窪み部４２ｂ，５２ｂで支承することにより、各槓桿４，５で重点エッジ８を支持することができるのであれば、支持突起８１及び支持窪み部４２ｂ，５２ｂの形状は任意であり、必ずしも支持窪み部４２ｂ，５２ｂが円錐状に窪んでおり、支持突起８１が円錐状に縮径した先端を備えている必要はない。
【図面の簡単な説明】
【００４３】
【図１】本発明の一実施形態の体重計の外観構成の概略を示す斜視図である。
【図２】図１に示す体重計が備えるカバーの構成の概略を示す斜視図である。
【図３】図１に示す体重計が備えるベースの構成の概略を示す斜視図である。
【図４】図２に示すカバーが備える重点刃の構成の概略を示す第１の図である。
【図５】図２に示すカバーが備える重点刃の構成の概略を示す第２の図である。
【図６】図３に示すベースが備える短機槓桿の構成の概略を示す側面図である。
【図７】図６に示す短機槓桿が備える重点溝の構成の概略を示す図である。
【図８】図３に示すベースが備える長機槓桿の構成の概略を示す側面図である。
【符号の説明】
【００４４】
１          体重計
２          カバー
３          ベース
４          短機槓桿
４１        支点溝
４２        重点溝
４２ａ      湾曲部
４２ｂ      支持窪み部
４３        作用点溝
５          長機槓桿
５１        支点溝
５２        重点溝
５２ａ      湾曲部
５２ｂ      支持窪み部
５３        荷重伝達溝
６          吊り輪
８          重点エッジ
８１        支持突起
８２        支持部
【図１】
2009270911.tif 000003
【図２】
2009270911.tif 000004
【図３】
2009270911.tif 000005
【図４】
2009270911.tif 000006
【図５】
2009270911.tif 000007
【図６】
2009270911.tif 000008
【図７】
2009270911.tif 000009
【図８】
2009270911.tif 000010